(57)【特許請求の範囲】
【請求項１】
杭と柱を軸方向に接合する建築物の基礎の施工方法であって、
地中に前記杭を打ち込み、
該杭の上端部に前記柱の軸力を杭に伝達する軸力受け仮設プレートを取り付けてその高さを調節することで柱の鉛直方向のレベル調整を行う一方で、前記杭の上端部周囲に打設された捨てコンクリートに位置調整ボルトを立設して固定し、
ついで前記柱の下端部に設けたベースプレートを前記軸力受け仮設プレートの上側に載置して前記位置調整ボルトにベースプレートを固定することで柱の水平方向の位置決めを行い、
前記柱の杭上への建方を行うようにしたことを特徴とする基礎の施工方法。
【請求項２】
杭と柱を軸方向に接合する建築物の基礎構造であって、
地中に打ち込んだ前記杭の頭部に柱の軸力を杭に伝達すると共にその高さを調節することで柱の鉛直方向のレベル調整を行う軸力受け仮設プレートが設けられ、
前記柱の下端部には前記軸力受け仮設プレートの上側に載置されるベースプレートが設けられ、
前記杭の上端部周囲に打設された捨てコンクリートには位置調整ボルトが立設して固定され、
該位置調整ボルトにベースプレートを固定することで柱の水平方向の位置決めが行われていることを特徴とする建築物の基礎構造。
【請求項３】
前記柱にはベースプレートよりも下方へ突出する連結部が設けられ、該連結部は前記杭の中空部に挿入されていることを特徴とする請求項２に記載の建築物の基礎構造。
【発明の詳細な説明】
【０００１】
【発明の属する技術分野】
本発明は、単層（平屋建て）ないし２〜３階建て程度の低層の建築物の基礎構造、および基礎の施工方法に関する。
【０００２】
【従来の技術】
建築物の基礎構造として、杭の上端部にフーチングを介して柱を接合して立設し、それら柱間に梁を架設し、かつ杭の上端部同士をつなぎ梁により連結するものが一般的であるが、より簡略で合理的な構造として杭と柱とを直接的に接合してつなぎ、梁およびフーチングを省略することが近年試みられるようになった。
図２にその一例を示す。図において、符号１１は杭、１２は柱である。柱１２を杭１１上に組み立てるには、杭１１の頭部に建方用のガイドプレート１４を取り付け、このガイドプレート１４にあらかじめ取り付けてあるボルト１５を利用して柱２の脚部をナット１６により取り付ける手段をとっていた。
【０００３】
【発明が解決しようとする課題】
上述した建築物の基礎構造にあっては、柱締結用のボルト１５を植設したガイドプレート１４を杭１１の頭部に固定し、前記ボルト１５を柱のベースプレート１３に締結することで杭１１と柱１２を前記ガイドプレート１４を介して接合するものである。しかし、杭１１の頭部に柱脚部固定用のガイドプレート１４を取り付けなければならず、しかも該ガイドプレート１４およびボルト１５には、現場での建方時において、柱１２からの軸力がかかるため、その断面を大きくとる必要があった。
【０００４】
上記事情に鑑み、本発明は、現場での建方時における柱の軸力を直接杭に伝えることにより、建方用のボルトを小径のものとすることができ、かつ杭の頭部に取り付けていたガイドプレートを不要にし、施工性を向上するとともにコストダウン、工期短縮が図れる建築物の基礎構造および基礎の施工方法を提供することを目的としている。
【０００５】
【課題を解決するための手段】
請求項１記載の建築物の基礎の施工方法は、杭と柱を軸方向に接合する建築物の基礎の施工方法であって、地中に杭を打ち込み、該杭の上端部に柱の軸力を杭に伝達する軸力受け仮設プレートを取り付けてその高さを調節することで柱の鉛直方向のレベル調整を行う一方で、杭の上端部周囲に打設された捨てコンクリートに位置調整ボルトを立設して固定し、ついで柱の下端部に設けたベースプレートを軸力受け仮設プレートの上側に載置して位置調整ボルトにベースプレートを固定することで柱の水平方向の位置決めを行い、柱の杭上への建方を行うようにしたことを特徴としている。
【０００６】
請求項２記載の建築物の基礎構造は、杭と柱を軸方向に接合する建築物の基礎構造であって、地中に打ち込んだ杭の頭部に柱の軸力を杭に伝達すると共にその高さを調節することで柱の鉛直方向のレベル調整を行う軸力受け仮設プレートが設けられ、柱の下端部には軸力受け仮設プレートの上側に載置されるベースプレートが設けられ、杭の上端部周囲に打設された捨てコンクリートには位置調整ボルトが立設して固定され、該位置調整ボルトにベースプレートを固定することで柱の水平方向の位置決めが行われていることを特徴としている。
【０００７】
請求項３記載の建築物の基礎構造では、柱にはベースプレートよりも下方へ突出する連結部が設けられ、該連結部は杭の中空部に挿入されていることを特徴としている。
【０００８】
【発明の実施の形態】
図１は、本発明に係る建築物の実施形態を示す。図中、符号１は杭、２は柱である。図から明らかなように、杭１の上端部に柱２が直接的に接合されており、従来一般に設けられているフーチングが省略されたものとなっている。
【０００９】
杭１には中空杭を用いており、杭１の上端部には柱２からの軸力を柱２に伝える軸力受け仮設プレート４が設けられている。該軸力受け仮設プレート４は、柱２の鉛直荷重を受けることによっても圧縮変形しない材料が用いられ、その形状は、柱２を軸力受け仮設プレート４の上端部に固定した後、杭１の中空部にコンクリートを打設するための図示しないコンクリート打設孔が空いていれば良く、その形状は限定されるものではない。また、軸力受け仮設プレート４は、その高さを調節することにより、柱２の鉛直方向のレベル調整を行うこととなる。
【００１０】
柱２は鉄骨柱が用いられており、下端部の略上部にベースプレート３が溶接等の適宜固定手段で一体的に設けられている。このベースプレート３は、柱２の軸力を前記軸力受け仮設プレート４に伝達できるものであれば良く、位置調整ボルト５が数カ所連結可能となっている。前記柱２のベースプレート３よりも下方へ突出する連結部７は、その先端部が地中に打ち込まれた杭１の中空部に挿入されており、前記ベースプレート３が杭１の上端部に設けられた軸力受け仮設プレート４に支えられた状態で杭１の上端部に配置されている。該柱２のベースプレート３に取り付けられる位置調整ボルト５は、その下端が杭１の上端部周囲に打設された捨てコンクリート６に立設状態で固定されている。該位置調整ボルト５の締結時に柱２の水平方向の位置決めを行うこととなる。
【００１１】
次に本発明の施工方法を示す。まず、地中に杭１を構成する中空杭を打ち込む。次いで、杭１の同軸状で柱２を固定する鉛直高さに合わせて、軸力受け仮設プレート４の高さを決定し、杭１の上端部に該軸力受け仮設プレート４を設置する。次いで、杭１の上端部周囲に捨てコンクリート６を打設し、その後複数の位置調整ボルト５を杭１の上端部を囲むように捨てコンクリート６の所定位置に立設状態で固定する。このように捨てコンクリート６を打設した後、これら位置調整ボルト５を後施工アンカーとして固定するのは、正確な位置出しが行えることにより、所定位置に正確に固定できるからである。次いで、柱２を位置調整ボルト５によって案内しながら、その下端に設けた柱２の連結部７を杭１の中空部に差し込み、柱２のベースプレート３が前記軸力受け仮設プレート４に接するまで柱２を杭１の上部に載置する。そして、位置調整ボルト５を利用して柱２のベースプレート３を固定することで、柱２が杭１に対して同軸状となるよう水平方向の正確な位置決めを行う。
【００１２】
上述の構成によれば、杭１の上端部に軸力受け仮設プレート４を設置することにより、柱２の軸力が軸力受け仮設プレート４を伝達して直接杭１に伝わることから、柱２のベースプレート３に取り付けられる位置調整ボルト５には柱２の軸力がかからないため、杭１と柱２を同軸状に固定する役割だけを果たせば良く、該位置調整ボルト５の径を大きくとる必要がない。
【００１３】
さらに、軸力受け仮設プレート４を用いることにより、柱２の軸力は該軸力受け仮設プレート４を介して直接杭１にかかることから、柱２と杭１を直接締結する固定手段を用いる必要がないため、杭１には従来の技術で説明したようなガイドプレート１４を要しない。
【００１４】
柱２を杭１の同軸状に設置するにあたり、軸力受け仮設プレート４を設ける際にあらかじめ鉛直方向のレベル調整を行うことが可能なため、位置調整ボルト５の締結時には柱２の水平方向のみの位置調整を行えばよく、施工性が良く効率的で施工誤差による杭１の偏心等への対応が容易である。
【００１５】
【発明の効果】
本発明による建築物の基礎の施工方法によれば、地中に杭を打ち込み、該杭の上端部に柱の軸力を杭に伝達する軸力受け仮設プレートを取り付けてその高さを調節することで柱の鉛直方向のレベル調整を行う一方で、杭の上端部周囲に打設された捨てコンクリートに位置調整ボルトを立設して固定し、ついで柱の下端部に設けたベースプレートを軸力受け仮設プレートの上側に載置して位置調整ボルトにベースプレートを固定することで柱の水平方向の位置決めを行い、柱の杭上への建方を行うようにしたから、いずれも簡略かつ合理的な構造で施工性に優れているため、工費削減、工期短縮に大きく寄与するものである。
【００１６】
また本発明による建築物の基礎構造によれば、地中に打ち込んだ杭の頭部に柱の軸力を杭に伝達すると共にその高さを調節することで柱の鉛直方向のレベル調整を行う軸力受け仮設プレートが設けられ、柱の下端部には軸力受け仮設プレートの上側に載置されるベースプレートが設けられ、杭の上端部周囲に打設された捨てコンクリートには位置調整ボルトが立設して固定され、該位置調整ボルトにベースプレートを固定することで柱の水平方向の位置決めが行われているから、上記と同様に、いずれも簡略かつ合理的な構造で施工性に優れているため、工費削減、工期短縮等の効果を有する。
【００１７】
請求項３記載の建築物の基礎構造によれば、柱にはベースプレートよりも下方へ突出する連結部が設けられ、該連結部は杭の中空部に挿入されていることから、杭と柱が一体的に接合され、杭と柱との間に十分なる接合強度を確保することができる。
【図面の簡単な説明】
【図１】  本発明に係る建築物の基礎構造の実施形態を示す断面図である。
【図２】  従来の建築物の基礎構造の実施形態を示す断面図である。
【符号の説明】
１  杭
２  柱
３  ベースプレート
４  軸力受け仮設プレート
５  位置調整ボルト
６  捨てコンクリート
７  連結部
１１  杭
１２  柱
１３  ベースプレート
１４  ガイドプレート
１５  ボルト
１６  ナット
【図１】
0003700122.tif 000002
【図２】
0003700122.tif 000003